(57)【要約】【課題】腹部圧迫体にクッション性及びバネ性を持たせると共にＸ線マーカーを付設し、また胃形に応じて補助バネ体を追加付設して、被検者の胃形に適合させモニターできるＸ線撮影補助具を提供する。【解決手段】被検者の腹部へ押し当て胃部位の撮影を補助するＸ線撮影補助具において、Ｘ線撮影補助具は、１個乃至複数個のスポンジ材からなる腹臥位腹部圧迫体からなり、これらの腹臥位腹部圧迫体は、少なくとも一つの平坦面乃至湾曲面を有し、それらの面の一部にＸ線マーカーが付設されており、１個の腹部圧迫体１１は、所定大きさの表裏面及び厚さを有する本体クッション部１２と、この本体クッション部の表裏いずれか一方の面から外方へ所定高さ突出した付属バネ部１３で構成されている。【選択図】図１
2019103775.tif 000002
【特許請求の範囲】
【請求項１】
被検者の腹部へ押し当て胃部位の撮影を補助するＸ線撮影補助具において、
前記Ｘ線撮影補助具は、クッション部を有する１個乃至複数個の腹臥位腹部圧迫体からなり、これらの腹臥位腹部圧迫体は、少なくとも一つの平坦面乃至湾曲面を有し、それらの面の一部にＸ線マーカーが付設されていることを特徴とするＸ線撮影補助具。
【請求項２】
前記Ｘ線撮影補助具は、前記腹部圧迫体は、所定大きさの表裏面及び厚さを有する本体クッション部と、前記本体クッション部の表裏いずれか一方の面から外方へ所定高さ突出した付属クッション部とからなり、前記本体クッション部に前記Ｘ線マーカーが付設されることを特徴とする請求項１に記載のＸ線撮影補助具。
【請求項３】
前記Ｘ線撮影補助具は、直方状ブロック体、円盤状ブロック体、球状乃至半楕円球状ブロック体、柱状ブロック体からなる複数個の腹臥位腹部圧迫体で形成されていることを特徴とする請求項１に記載のＸ線撮影補助具。
【請求項４】
前記Ｘ線マーカーは、所定長さの板状片乃至棒状体からなり、それらはＸ線半吸収材乃至Ｘ線全吸収材で形成されていることを特徴とする請求項１〜４のいずれかに記載のＸ線撮影補助具。
【請求項５】
前記Ｘ線マーカーの長さは、１０ｍｍ〜２０ｍｍの範囲にあることを特徴とする請求項５に記載のＸ線撮影補助具。
【請求項６】
前記腹臥位腹部圧迫体は、それぞれが交換自在なカバー体で覆って、使用されることを特徴とする請求項１〜５のいずれかに記載のＸ線撮影補助具。
【発明の詳細な説明】
【技術分野】
【０００１】
本発明は、Ｘ線撮影補助具に係り、詳しくは、被検者の腹部へ押し当てて胃部位の撮影を補助するＸ線撮影補助具に関する。
【背景技術】
【０００２】
現在、人の胃のＸ線撮影は、通常、ＮＰＯ法人日本消化器がん検診精度管理評価機構が推奨する基準撮影法、或いは日本がん検診学会が発表しているガイドラインによる新撮影法などによって行われている。
これらの撮影は、通常、検査台に腹臥させた被検者の鳩尾（季助部）へ押し当てて腹部を圧迫し胃部位を伸展させて描出範囲を広げる腹臥位腹部圧迫体（以下、腹部圧迫体と略称する）、例えば圧迫マクラや圧迫フトンなどを使用して行われている。
これらの圧迫マクラ及び圧迫フトンのうち、圧迫マクラは、通常、バスタオルからなり、このバスタオルは、被検者の体型、例えば痩せや肥満などの体型に合わせて、痩せ型では少ない巻数、また肥満型では複数巻し、大きさ（太さ）や形状を調節したものが使用され、また、圧迫フトンは、通常、小型ザブトンからなり、この小型ザブトンは形状乃至厚さが異なるものを複数用意して、体型に合わせて選択して使用されている。
【０００３】
このようなバスタオルや、小型ザブトンは、被検者の体型に合わせて、バスタオルにあっては太さや形状を変化させ、小型ザブトンにあってはサイズ及び厚さが異なったものを選択して使用するので、太さや形状の細工或いはサイズ乃至厚さの異なるものの選択が面倒なことから、さらに工夫した腹部圧迫体が提案されている。
【０００４】
例えば、下記特許文献１には、二つのバルーンからなる圧迫手段を設けて胃をＸ線撮影するＸ線撮影補助具が提案されている。
【０００５】
このＸ線撮影補助具は、図１１に示したように、傾斜自在とした寝台を備えたＸ線撮影装置で胃部のＸ線撮影を行う際に、寝台上に腹臥させた被検者の心窩部部分に配置して腹部を圧迫するために用いるＸ線撮影補助具であって、流体が送給されることにより膨張する圧迫手段４０と、この圧迫手段に流体を送給する流体送給手段を有し、圧迫手段４０は、流体の流入によって膨張する二つのバルーン４１、４１と、これらのバルーンが所定の体積以上に膨張することを禁止する拘束体４３を有し、バルーンが所定の体積となった以降にもバルーンに流体を流入させることにより、圧迫手段の硬さを調整可能とし、圧迫手段が、拘束体４３が装着されたバルーンを、バルーンの膨張方向に複数重ねた状態で一体化する一体化手段を備え、この一体化手段を、複数重ねた状態のバルーンを内包する包装体４２とした構成となっている。
【０００６】
この補助具によれば、被検者の腹部を圧迫する圧迫手段が、流体の流入によって膨張するバルーンと、このバルーンが所定の体積以上に膨張することを禁止する拘束体とを備え、バルーンが所定の体積となった以降にもバルーンに流体を流入させることによって圧迫手段の硬さを調整可能としているので、圧迫手段に変形を生じ難くすることができ、圧迫手段による腹部の圧迫状態が変化することを抑制できる。
特に、Ｘ線撮影装置の寝台の傾斜状態を変更した場合でも、圧迫手段に変形が生じに難いために、圧迫手段による腹部の圧迫状態が変化することがなく、被験者は姿勢維持に気をつかう必要がなく、被験者の負担を大きく低減できる。
【０００７】
また、同様のＸ線撮影補助具は、下記特許文献２〜５にも記載されている。
【先行技術文献】
【特許文献】
【０００８】
【特許文献１】特許第５９３６０５０号公報
【特許文献２】特開２０１５−１７３８９５号公報
【特許文献３】特開平８−１５０１３９号公報
【特許文献４】特許第３７２５５３１号公報
【特許文献５】実公平５−３０４３６号公報
【発明の概要】
【発明が解決しようとする課題】
【０００９】
しかし、上記各腹部圧迫体のうち、バスタオルからなる圧迫マクラは、被検者の体型などに合わせて、その都度、不定形のバスタオルを丸めなどに細工して所定の大きさ及び形状に調節しなければならないので、扱い難くて、熟練を要し、初心者では困難な作業であって、その良否が検査結果に反映され、不出来であると正確な検査結果が得られないことがある。一方でまた、丸めたタオルは、弾力性乃至バネ性に欠けたものになり、固い箇所が腹部に強く当たると、被検者に苦痛を与え、また当たり場所が悪いと、最悪の場合は骨折させることがあり、これが医療事故の原因にもなる恐れがある。
【００１０】
また、小型ザブトンからなる圧迫フトンも体型に合ったものを揃え、その都度、選択しなければならないので、数が多くなり、一方でまた、弾力乃至バネ力が不足し、胃部位を所望の範囲までに進展させることができない恐れがある。
【００１１】
さらに、上記特許文献１に記載されたＸ線撮影補助具は、二つのバルーンからなる圧迫手段、この手段へ流体を供給する流体送給手段、バルーンの体積が所定以上に膨張することを禁止する拘束体、各バルーンの膨張方向に複数重ねた状態で一体化する一体化手段、さらに複数重ねた状態のバルーンを内包する包装体などから構成されている。このため、圧迫手段等及び拘束体等の手段及び物体等の数が多く、補助具が高価になり、しかもそれらの操作が極めて面倒で初心者が扱えるものでない。また、バルーン（風船）への流体（空気）調節は、被検者に合わせて、その都度、調節しければならないので、時間が掛かり、検査効率が悪くなるので、一度に大勢の被検者を集団検診するような場合などの際の課題となっている。
【００１２】
また、他の特許文献２〜５記載のＸ線撮影補助具も略同じ構成なので同様の課題を抱えている。
【００１３】
ところで、人の胃は、性別や体型、或いは胃の周辺臓器などによって異なった形状乃至変形し、個々人によって異なり、いわば十人十色乃至千差万別なものとなる。例えば、体型別では、肥満型は概ね牛角状、標準型は鉤状或いは痩長身型は長鉤状などの形状をしており、一方でまた、胃は変形し、その変形は、例えば、Ｂ型変形、胃外圧迫、壁不整、壁硬化し、胃角も正常な胃に対してＵ字形変形、棍棒状変形、胃角の消出、直角化、直線化、先鋭化などに変形する。
【００１４】
さらに、Ｘ線撮影装置は、検査台が傾斜自在となっており、この検査台に腹臥した被検者を適宜に傾斜させることにより胃内のバリウム（炭酸ガス）の位置を調整するため、被検者の胃形とＸ線撮影補助具との間に正確な位置決めが必要となる。
【００１５】
このようなＸ線撮影補助具を使用する場合、上記したように、人の胃は、性別、体型及び周辺臓器などによって異なった形状乃至変形し、人によって異なり、十人十色乃至千差万別なものになり、それも、バリウム（炭酸ガス）を入れた状態で、腹臥した被検者の胃部位と補助具との間の正確な位置決めが必要となる。また、使用する補助具の種類及び腹部への押し当て方乃至箇所によっては、胃部位の圧迫乃至伸展状態が変化し、補助具の選択、その当て方乃至箇所が不適切であると正確な撮影ができなくなる。
【００１６】
しかし、これまでの補助具は、被検者に胃形に対して胃部位の何処に対応しているかは分からず、殆どが診療放射線技師（以下、放射線技師という）の経験乃至勘などに頼らざるを得ない状況にあった。
【００１７】
そうすると、病院等の施設には種類の異なるＸ線撮影補助具が備えられ、これらから選択して放射線技師によって操作されるが、放射線技師の習熟度、すなわちベテラン放射線技師、中堅放射線技師及び初心放射線技師によって、検査結果が違ったものとなり、結果として、施設間の格差及び放射線技師間の検査格差が生じることとなる。また、後日再検査が必要になった場合、先の撮影でどのようなＸ線撮影補助具が使用され、また腹部へどのように押し当てられかを調べようとしても、それらがＸ線撮影フィルムにその履歴が残らないのでそれができない。このため、仮にＸ線撮影補助具の選択、使用法が不適切であったとしても履歴レビューができず改善の契機が喪失され、以後の撮影において同様のことが繰り替えされる恐れがある。
このような状況から、学会等においては基準撮影ガイドラインを発表して検査格差の是正を試みているが、現在も、これらの検査格差は解消されるに至っていない。
【００１８】
そこで、本発明者らは、従来技術が上記課題を抱え及び諸要求があることから、この課題を解決及び要求に応えるために、これまで３０余年Ｘ線撮影に従事し、その経験に基づいて、Ｘ線撮影補助具を構成する腹部圧迫体を少ない個数でしかも単純形状なもので構成し、それらを単独乃至複数組み合わせて使用することにより、被検者によってそれぞれ異なる胃形、例えば鉤状胃、横胃（牛角胃）、下垂胃、瀑状胃など略すべての胃形に対応でき、また、これらの腹部圧迫体にＸ線マーカーを装着することにより、撮影時にそれらをモニターでき、さらに、このＸ線マーカーにより、後日検査時における使用状態の把握が可能になり、再検査乃至検証にも利用できるようになり、その結果、施設及び放射線技師間の検査格差を解消して正確な撮影ができることに想到し、本発明を完成させるに至ったものである。
【００１９】
本発明は、上記従来技術が抱える課題の解決及び上記諸要求に応えるためになされたものである。
【００２０】
本発明の目的は、１個の腹臥位腹部圧迫体を用い、この腹部圧迫体にクッション性及びバネ性を持たせると共にＸ線マーカーを付設し、また胃形に応じて補助バネ体を追加付設して、被検者の胃形に適合させモニターしながら撮影を補助するＸ線撮影補助具を提供することにある。
【００２１】
本発明の他の目的は、複数個の腹臥位腹部圧迫体を用い、これらの腹部圧迫体にクッション性及びバネ性を持たせると共にＸ線マーカーを付設し、これらを単独乃至複数組み合わせ、被検者の胃形に適合させモニターしながら撮影を補助するＸ線撮影補助具を提供することにある。
【課題を解決するための手段】
【００２２】
上記目的を達成するために、本発明の第１の態様のＸ線撮影補助具は、被検者の腹部へ押し当て胃部位の撮影を補助するＸ線撮影補助具において、
前記Ｘ線撮影補助具は、クッション部を有する１個乃至複数個の腹臥位腹部圧迫体からなり、これらの腹臥位腹部圧迫体は、少なくとも一つの平坦面乃至湾曲面を有し、それらの面の一部にＸ線マーカーが付設されていることを特徴とする。
【００２３】
本発明の第２の態様のＸ線撮影補助具は、第１の態様のＸ線撮影補助具において、前記Ｘ線撮影補助具は、前記腹部圧迫体は、所定大きさの表裏面及び厚さを有する本体クッション部と、前記本体クッション部の表裏いずれか一方の面から外方へ所定高さ突出した付属クッション部とからなり、前記本体クッション部に前記Ｘ線マーカーが付設されることを特徴とする。
【００２４】
本発明の第３の態様のＸ線撮影補助具は、第１の態様のＸ線撮影補助具において、前記Ｘ線撮影補助具は、直方状ブロック体、円盤状ブロック体、球状乃至半楕円球状ブロック体、柱状ブロック体からなる複数個の腹臥位腹部圧迫体で形成されていることを特徴とする。
【００２５】
本発明の第４の態様のＸ線撮影補助具は、第１〜３のいずれかの態様のＸ線撮影補助具において、前記Ｘ線マーカーは、所定長さの板状片乃至棒状体からなり、それらはＸ線半吸収材乃至Ｘ線全吸収材で形成されていることを特徴とする。
【００２６】
本発明の第５の態様のＸ線撮影補助具は、第４の態様のＸ線撮影補助具において、前記Ｘ線マーカーの長さは、１０ｍｍ〜２０ｍｍの範囲にあることを特徴とする。
【００２７】
本発明の第６の態様のＸ線撮影補助具は、第１〜５のいずれかの態様のＸ線撮影補助具において、前記腹臥位腹部圧迫体は、それぞれが交換自在なカバー体で覆って、使用されることを特徴とする。
【発明の効果】
【００２８】
本発明の第１の態様のＸ線撮影補助具は、１個乃至複数個のクッション部を有する腹臥位腹部圧迫体からなり、これらの腹臥位腹部圧迫体は、少なくとも一つの平坦面乃至湾曲面を有し、それらの面の一部にＸ線マーカーが付設された構成を備えており、以下の顕著な作用効果を奏する。
（ア）Ｘ線撮影補助具は、複数個の腹部圧迫体を単独乃至複数個組み合わせることによって、被検者によってそれぞれ異なる胃形に適応させて、モニターしながら撮影できる。また、個数が少ないので扱い及び操作が簡単になり、また、保管・管理も容易になる。
（イ）各腹部圧迫体には、Ｘ線マーカーが付設されているので、このＸ線マーカーをモニターすることによって、各腹部圧迫体の腹部への位置決め調整が正確にできる。また、再検査などの際に、Ｘ線写真フィルム上のＸ線マーカーにより検査時に如何なる腹部圧迫体が選択され、位置された箇所などの調査・検証が可能になる。さらに、Ｘ線マーカーは胃がんの大きさを測る物差しにもなる。
【００２９】
本発明の第２の態様のＸ線撮影補助具は、以下の顕著な作用効果を奏する。
（ウ）Ｘ線撮影補助具は、腹部圧迫体を単独乃至組み合わせることによって、被検者によって異なる胃形、例えば鉤状胃、牛角胃、横胃（下垂胃）、瀑状胃など略すべての胃形に適応させて各胃のＸ線撮影が可能になる。
（エ）腹部圧迫体は、合成樹脂からなスポンジ材で形成されているので、スポンジ材は柔軟性、クッション性及び衝撃吸収性が優れた性質を備えていることから、腹部圧迫体及び補助バネ体に適度なクッション性及びバネ性が付与されるので、検査時に被検者に苦痛を与えるようなことはない。すなわち、腹部圧迫体は、柔軟な弾性材（スポンジ材）形成されているので、被検者の腹部へ押し当てたときに、ソフトタッチとなり苦痛を与えることがない。
（オ）Ｘ線撮影補助具は、部材の数が少ないので、従来技術の補助具と対比して、格段に扱い乃至管理が簡単、容易になり、一方でまた、一度に大勢の被検者を検査する集団検診の際にも検査効率を上げて使用できる。
（カ）腹部圧迫体は単純な形状をしたものであり、材料として例えばスポンジ材を用いることができる。スポンジ材は、入手が簡単にでき、しかも、任意の形状に裁断、加工できるので簡単、安価に製作できる。
【００３０】
本発明の第３の態様のＸ線撮影補助具は、Ｘ線撮影補助具を構成する腹部圧迫体は、少ない個数で単純な直方状ブロック体乃至円盤状ブロック体で形成されるので、製作が簡単で安価になる。
【００３１】
本発明の第４の態様のＸ線撮影補助具は、腹部圧迫体にＸ線マーカーが付設されているので、検査時にモニターしながら腹部への正確な位置決めができる。さらに、Ｘ線マーカーは撮影フィルムに写っているので、後日、検査時における使用状態の把握が可能になり、再検査乃至検証にも利用できる。
【００３２】
本発明の第５の態様のＸ線撮影補助具は、Ｘ線マーカーを所定長さにすることによって、胃癌の進行度合いが検知できる。
【００３３】
本発明の第６の態様のＸ線撮影補助具は、腹部圧迫体及び補助バネ体は検査時に交換自在なカバー体内に収納されて使用するので、感染予防になり衛生的に扱え、被検者に嫌悪感を与えるのを回避できる。
【図面の簡単な説明】
【００３４】
【図１】図１は本発明の実施形態１に係るＸ線撮影補助具を示し、図１Ａは腹臥位腹部圧迫体の斜視図、図１Ｂは補助バネ体、図１Ｃはカバー体の側面図である。
【図２】図２は図１Ａの腹臥位腹部圧迫体を示し、図２Ａは側面図、図２Ｂは上面図、図２ＣはＸ線マーカーの側面図である。
【図３】図３は図１Ｂの補助バネ体を示し、図３Ａは正面図、図３Ｂは側面図、図３Ｃは底面図、図３Ｄは使用例の斜視図である。
【図４】図４は実施形態１のＸ線撮影補助具を用いた各胃形のＸ線撮影を示し、図４Ａは鉤状胃／下垂胃撮影の概略図、図４Ｂはやや横胃撮影の概略図である。
【図５】図５はＸ線撮影補助具を用いた他の胃形のＸ線撮影を示し、図５Ａは横胃撮影の概略図、図５Ｂは瀑状胃撮影の概略図である。
【図６】図６は本発明の実施形態２に係るＸ線撮影補助具を構成する複数個の腹臥位腹部圧迫体の概略斜視図である。
【図７】図７は図６のＸ線撮影補助具を構成する２個の腹臥位腹部圧迫体を示し、図７Ａは一方の腹臥位腹部圧迫体の正面図、図７Ｂは図７Ａの底面図、図７Ｃは他方の腹臥位腹部圧迫体の上面図、図７Ｄは図７Ｃの側面図である。
【図８】図８は図６のＸ線撮影補助具を構成する他の腹臥位腹部圧迫体を示し、図８Ａは一方の腹臥位腹部圧迫体の正面図、図８Ｂは図８Ａの底面図、図８Ｃは側面図、図８Ｄは他方の腹臥位腹部圧迫体の上面図、図８Ｅは図８Ｄの底面図、図８Ｆは側面図である。
【図９】図９は実施形態２のＸ線撮影補助具を用いた各胃形のＸ線撮影を示し、図９Ａは鉤状胃撮影の概略図、図９Ｂはやや横胃撮影の概略図である。
【図１０】図１０はＸ線撮影補助具を用いた他の胃形のＸ線撮影を示し、図１０Ａは横胃撮影の概略図、図１０Ｂは瀑状胃撮影の概略図である。
【図１１】図１１は従来技術のＸ線撮影補助具を示し、図１１Ａは使用状態の説明図、図１１Ｂは一部切欠斜視図である。
【発明を実施するための形態】
【００３５】
以下、図面を参照して、本発明の実施形態に係るＸ線撮影補助具を説明する。但し、以下に示す実施形態は、本発明の技術思想を具体化するためのＸ線撮影補助具を例示するものであって、本発明をこれに特定することを意図するものではなく、特許請求の範囲に含まれるその他の実施形態のものにも等しく適応し得るものである。
【００３６】
［実施形態１］
図１〜３を参照して、本発明の実施形態１に係るＸ線撮影補助具の概要を説明する。なお、図１は本発明の実施形態１に係るＸ線撮影補助具を示し、図１Ａは腹臥位腹部圧迫体の斜視図、図１Ｂは補助バネ体の斜視図、図１Ｃはカバー体の斜視図である。
本発明の実施形態１に係るＸ線撮影補助具１０は、図１に示したように、１個の腹臥位腹部圧迫体（腹部圧迫体）１１と、１本の補助バネ体１５とからなり、これらはいずれもスポンジ材で形成され、腹部圧迫体１１にＸ線マーカー１４（図２Ｃ参照）が付設され、補助バネ体１５は被検者の胃形に応じて、腹部圧迫体１１に付設して使用するものであって、これらの腹部圧迫体１１及び補助バネ体１５は検査時に交換自在なカバー体１６内に収納して使用する構成となっている。
【００３７】
このＸ線撮影補助具によれば、従来技術の課題を解決できると共に、検査従事者などからの諸要求にも応えることができものであって、以下の顕著な作用効果を奏する。
（１−１）Ｘ線撮影補助具は、１個の腹部圧迫体と１本の補助バネ体との２つの部材からなり、これらの部材を単独乃至組み合わせることによって、被検者によって異なる胃形、例えば鉤状胃、横胃（牛角胃）、下垂胃、瀑状胃など略すべての胃形に適応させて各胃のＸ線撮影が可能になる。
（１−２）腹部圧迫体及び補助バネ体の２つの部材は、いずれも合成樹脂からなるスポンジ材で形成されているので、スポンジ材は柔軟性、クッション性及び衝撃吸収性が優れた性質を備えていることから、腹部圧迫体及び補助バネ体に適度なクッション性及びバネ性が付与されるので、検査時に被検者に苦痛を与えるようなことはない。すなわち、腹部圧迫体は、柔軟な弾性材（スポンジ材）形成されているので、被検者の腹部へ押し当てたときに、ソフトタッチとなり苦痛を与えることがない。
（１−３）Ｘ線撮影補助具は、部材の数が少ないので、従来技術の補助具と対比して、格段に扱い乃至管理が簡単、容易になり、一方でまた、一度に大勢の被検者を検査する集団検診の際にも検査効率を上げて使用できる。
（１−４）２つの部材、すなわち、腹部圧迫体及び補助バネ体は単純な形状をしたものであり、また材料となるスポンジ材は、入手が簡単、安価にでき、しかも、任意の形状に裁断、加工できるので簡単、安価に製作できる。
（１−５）腹部圧迫体にＸ線マーカーが付設されているので、検査時にモニターしながら腹部への正確な位置決めができる。また、Ｘ線マーカーを所定長さにすることによって、胃癌の進行度合いが検知でき、さらに、Ｘ線マーカーは撮影フィルムに写っているので、後日、検査時における使用状態の把握が可能になり、再検査乃至検証にも利用できる。
（１−６）腹部圧迫体及び補助バネ体は検査時に交換自在なカバー体内に収納されて使用するので、感染予防になり衛生的に扱え、被検者に嫌悪感を与えるのを回避できる。
（１−７）以上から、放射線技師の経験年数乃至スキル差に殆ど左右されることなく、病院等施設及び放射線技師間の検査格差を解消できる。
【００３８】
以下、このＸ線撮影補助具の細部構成及び他の特徴及び作用効果を説明する。
【００３９】
図１Ａ、図２を参照して、腹部圧迫体を説明する。なお、図１は本発明の実施形態１に係るＸ線撮影補助具を示し、図１Ａは腹臥位腹部圧迫体の斜視図、図１Ｂは補助バネ体の斜視図、図１Ｃはカバー体の斜視図、図２は図１Ａの腹臥位腹部圧迫体を示し、図２Ａは側面図、図２Ｂは上面図である。
腹部圧迫体１１は、図１Ａ、図２Ａに示したように、所定大きさの表裏面積及び厚さを有する所定形状のブロック体、例えば円盤状乃至小型ザブトン状などした本体クッション部１２と、この本体クッション部１２の表裏いずれかの面、この実施形態では裏面（図１の下側面）の略中央部を所定高さ突起させた山型のバネ突起部１３と、を有し、全体が柔軟性、クッション性及び衝撃吸収性が優れた合成樹脂からなるスポンジ材で形成されている。なお、ブロック体は、特定の形状のものに限定されるものでなく任意のものでよいが、以下、円盤状のもので説明する。
【００４０】
本体クッション部１２は、図２Ａに示したように、所定大きさの上下平坦面１２ａ、１２ｂと、所定高さ周側面１２ｃとからなる円盤状ブロック体かなり、上平坦面１２ａは、腹部への押し当て面乃至補助バネ体１５の装着面となり、また、周側面１２ｃは、湾曲しており一部がＸ線マーカー１４の付設面となっている。なお、この上平坦面１２ａは、略中央部１２１に補助バネ体１４を脱着自在に装着できる脱着部材（図示省略）を設けるのが好ましい。
【００４１】
また、バネ突起部１３は、本体クッション部１２の裏面１２ｂ（図１の下側面）の略中央部から、所定高さ突起した山型ブロックで形成されている。
この山型バネ突起部１３は、大サイズの大台ブロック１３ａと小サイズの小台ブロック１３ｂとを２段に重ねた山型ブロックからなり、本体クッション部１２と一体のスポンジ材で形成されている。
【００４２】
腹部圧迫体１１の寸法は、本体クッション部１２にあって、上平坦面１２ａの直径Ｄ１は２００ｍｍ、厚さＨ１は５０ｍｍ、及びバネ突起部１３の高さＨ２は５０ｍｍ、また、バネ突起部１３の大台ブロック１３ａは、底面の直径Ｄ２は１００ｍｍ、高さは２５ｍｍ、小台ブロック１３ｂの底面の直径Ｄ３は５０ｍｍ、高さＨ３は２５ｍｍである。なお、この寸法は一例であって、これらに限定されるものでない。
【００４３】
腹部圧迫体１１は、本体クッション部１２と、バネ突起部１３とからなり、これらがスポンジ材で形成され、それぞれ所定の厚さ及び高さとなっているので、腹部圧迫体１１が腹部へ押し当てらときに、本体クッション部１２がクッションとなって弾性圧縮され、また同時にバネ突起部１３は同様に圧縮されると共に反発力が働き、胃部位を適度な弾性及びバネ力によって伸展させることができる。勿論、従来技術のバスタオルを丸めた圧迫マクラのような苦痛を与えることはない。
【００４４】
本体クッション部１２は、その側周面１２ｃの一部にＸ線マーカー１４が取付けられている。
【００４５】
図２Ｃを参照して、Ｘ線マーカーを説明する。なお、図２ＣはＸ線マーカーの側面図である。
Ｘ線マーカー１４は、所定厚さＷ及び長さＨの板状体からなり、Ｘ線半吸収材乃至吸収材で形成されている。厚さｄは例えば２ｍｍ、長さｈは例えば２０ｍｍ、幅ｗは例えば１０ｍｍである。
【００４６】
Ｘ線半吸収材及び吸収材は、元素記号が大きいほどＸ線の透過性が低く、透過性が一番低いものが鉛（Ｘ線を遮断）、次に銀、鉄、チタン。この中でＸ線透過率が高いのがチタンとなっている。本実施形態ではアルミニウムを使用している。
このＸ線マーカー１４は、検査時に腹部圧迫体１１をモニターできる一方でまた、スケーラー（物差し）になっている。すなわち、Ｘ線マーカーは進行胃癌の大きさを図る物差しできると共に、後日、Ｘ線検査結果を検証例にすることが可能となり、この検証例によって、今後の検査方法の改善を図ることもできる。
【００４７】
スケーラーとしての長さは、１０ｍｍ〜２０ｍｍの範囲が好ましい。検査によって胃がんが見つかると、癌組織の長さが１０ｍｍ程度の場合、命の危険度が低く殆ど治癒可能であり、また２０ｍｍになると命の危険度が７０〜８０％と高くなると言われている。これから、Ｘ写真にＸ線マーカーと癌組織が写しだされるので、両者の対比から癌危険度の判定が容易になる。
このＸ線マーカー１４は、本体クッション部１２の側周面１２ｃの一部に、貼付乃至埋め込みにより取付けられている。Ｘ線マーカーを脱着自在にすることによって、放射線技師が任意に選択できる。
Ｘ線マーカー１４は、板状体のものに限定するものでなく、他の形状、例えば棒状体などにしてもよく。また、直線状でなく折曲、例えば「く」字状に折曲してもよい。
【００４８】
図１Ｂ、図３を参照して、補助バネ体を説明する。なお、図３は図１Ａの補助バネ体を示し、図３Ａは正面図、図３Ｂは側面図、図３Ｃは底面図、図３Ｄは使用例の斜視図である。
補助バネ体１５は、所定大きさの矩形状の上下面１５ａ、１５ｂ、側周面１５ｃ〜１５ｆを有し、所定高さの四角柱状ブロック体からなり、スポンジ材で形成されている。この補助バネ体１５の寸法は、例えば、横幅Ｗ１が１００ｍｍ、長さＬは２００ｍｍ、縦幅Ｗ２は６０ｍｍである。
【００４９】
補助バネ体１５は、図３Ｄに示したように、略中央部で二つ折りにして、腹部圧迫体１１を構成する本体クッション部１２の表面１２ａに載せて使用する。二つ折りにより、補助バネ体は略「く」字状の湾曲し比較的強いバネ力が生じ、腹部圧迫体１１のバネ力に加算され、腹部への押し当てを強くし、胃部位をより効果的に伸展させることができる。腹部圧迫体１１と補助バネ体とにより、よりバネ力が強くなっても従来技術の圧迫マクラ（バスタオルを丸めたマクラ）が抱える課題が生じ、被検者に苦痛を与えることがない。なお、腹部圧迫体１１の表面１２ａへの載置を確実にするために、補助バネ体１５の載置部１２１（図１Ａ参照）を設けるのが好ましい
【００５０】
Ｘ撮影補助具１０は、検査時に、腹部圧迫体１１単独、乃至腹部圧迫体１１と補助バネ体１５とを合体してカバー体１６で覆って使用する。このカバー体は、図１Ｃに示したように、開口１６１を有する収納部１６ａを備え、開口部に閉じ紐１６ｂが装着されて、封止できるようになっている。カバー体１６は薄いゴム材で作製する。なお、ゴム材に限定するものでなく、他の材料で作製してもよい。例えば、滑り止め材で作製すると、検査時の滑落を防止できる。
【００５１】
図４、図５を参照して、実施形態１のＸ線撮影補助具を用いたＸ線撮影方法を説明する。なお、図４は実施形態１のＸ線撮影補助具を用いた各胃形のＸ線撮影方法を示し、図４Ａは鉤状胃／下垂胃撮影の概略図、図４Ｂはやや横胃撮影の概略図、図５はＸ線撮影補助具を用いた他の胃形のＸ線撮影方法を示し、図５Ａは横胃撮影の概略図、図５Ｂは瀑状胃撮影の概略図である。
各図４、図５は、被検者を検査台に腹臥位させた状態における被検者の頭部、腹壁、横隔膜及び剣状突起（鳩尾）と、使用するＸ線撮影補助具の位置関係を示している。
用語「腹臥位」（ふくがい）とは、被検者の顔を自然な形で横に向けうつ伏せに寝かせた状態を意味している。また、使用するＸ線撮影補助具は胃形によって異なり、図４の胃形の場合は腹部圧迫体単独の使用、図５の胃形の場合は腹部圧迫体と補助バネ体との組合せ使用となっている。
【００５２】
（ａ）鉤状胃／下垂胃の撮影
被検者の胃形が鉤状胃／下垂胃の場合、Ｘ線撮影補助具１０として、腹部圧迫体１１を単独で使用し、Ｘ線マーカーでモニターしながら位置を調整し正確に位置決めしてＸ線撮影を行う。
すなわち、鉤状胃は、釣り針や鉤のように曲がっている胃であり、胃体部、前庭部、幽門部の撮影が困難な胃部位であるが、図４Ａに示したように、腹部圧迫体１１を被検者の鳩尾に押し当てることにより、鉤状胃のＵ、Ｍ、Ｌ部分が伸展拡大され、鉤状胃のＵ、Ｍ、Ｌ部分も前胃壁が伸展拡大され、描出範囲が広くなるので正確なＸ線撮影ができる。
【００５３】
また、下垂胃は、下垂していて胃角部胃角切痕が腸骨線を超えて骨盤にかかっている胃であり、この胃は胃体部、前庭部及び幽門部の撮影が困難な胃部位となっているが、腹部圧迫体１１を図４Ａの点線の位置へ移動させることによって、下垂胃のＵ、Ｍ、Ｌ部分も前胃壁が伸展拡大され、描出範囲が広くなるので正確なＸ線撮影ができる。
【００５４】
（ｂ）やや横胃の撮影
軽度横胃は、胃体部、前庭部、幽門部）胃体部は更に短縮し更に横に傾き、頭側方に軽度回転。立て方向の伸展と横方向の平坦化が求められる。
そこで、このやや横胃に対しては、図４Ｂに示したように、図４Ａの鉤状胃などと同様にて、被検者の鳩尾に腹部圧迫体１１を押し当てて撮影する。結果は、鉤状胃の撮影と同じになる。
【００５５】
（ｃ）横胃の撮影
横胃に対しては、図５Ａに示したように、腹部圧迫体１１に補助バネ体１５を二つ折りして付設し、被検者の鳩尾に腹部圧迫体１１を押し当てて撮影する。
【００５６】
（ｄ）瀑状胃の撮影
瀑状胃は、窮隆部が背中側に捲れこんでいて、これが瀑布のように観察される胃であるが、胃体部、前庭部、幽門部の撮影が困難な胃部位となっている。そこで、Ｘ線補助具１０は、図５Ｂに示したように、腹部圧迫体１１に補助バネ体１５を二つ折りして付設し、被検者の鳩尾に腹部圧迫体１１を押し当てて撮影する。
【００５７】
以上説明したように、Ｘ線撮影補助具１０によれば、腹部圧迫体１１単独、乃至腹部圧迫体１１に補助バネ体１５を付設することによって、被検者によって異なる胃形、例えば鉤状胃、横胃（牛角胃）、下垂胃、瀑状胃など略すべての胃形に適応させて各胃のＸ線撮影が可能になる。すなわち、上記（１−１）〜（１−７）の作用効果を奏することができる。その結果、病院等施設及び放射線技師間の検査格差が解消されて正確な撮影ができる。
【００５８】
［実施形態２］
図６〜図１０を参照して、本発明の実施形態２に係るＸ線撮影補助具を説明する。
【００５９】
図６を参照して、本発明の実施形態２に係るＸ線撮影補助具の概要を説明する。なお、図６は本発明の実施形態２に係るＸ線撮影補助具を構成する４個の腹臥位腹部圧迫体を示し、図６Ａ〜図６Ｄはそれら腹臥位腹部圧迫体の概略斜視図である。
本発明の実施形態２に係るＸ線撮影補助具１７は、形状乃至サイズなどが異なる、いわゆるタイプ（ｔｙｐｅ）が異なる複数個、例えば４個の腹部圧迫体１８〜２１で構成されおり、この点で１個の腹部圧迫体１０からなる実施形態１のＸ線撮影補助具１０と構成が異なっている。
以下の説明は、両者に共通する構成部分には同一符号を付して重複説明を省略し、異なる構成を詳述する。
【００６０】
このＸ線撮影補助具１７は、タイプ（ｔｙｐｅ）が異なる複数個、例えば４個の腹部圧迫体１８〜２１で構成されており、これらの腹部圧迫体１８〜２１は、図６に示したように、形状乃至サイズが異なる直方状乃至円盤状ブロック体からなり、これらは少なくとも一つの平坦面乃至湾曲面を有し、いずれかの面にＸ線マーカー１４が付設された構成を有する。なお、「直方状ブロック体」及び「円盤状ブロック体」における「状」は幾何学的な「直方体」及び「円盤体」形状だけでなく、それらの形状を若干変更、例えば「直方体」にあっては隅角部が「直角」でなく湾曲したものなどを含んだ意味を表している。なお、このＸ線撮影補助具１７にあって、それぞれの腹部圧迫体１８〜２１は各カバー体（図示省略）に収納して使用されるようになっている。
【００６１】
このＸ線撮影補助具によれば、Ｘ線撮影補助具は、例えば４個の腹部圧迫体で構成され、これらにＸ線マーカーが付設されているので、以下の顕著な作用効果を奏する。
（２−１）Ｘ線撮影補助具は、複数個の腹部圧迫体を単独乃至複数個組み合わせることによって、被検者によってそれぞれ異なる胃形に適応させて、モニターしながら撮影できる。また、個数が少ないので扱い及び操作が簡単になり、また、保管・管理も容易になる。
（２−２）Ｘ線撮影補助具を構成する腹部圧迫体は、少ない個数で単純な直方状ブロック体乃至円盤状ブロック体で形成されるので、製作が簡単で安価になる。
（２−３）各腹部圧迫体には、Ｘ線マーカーが付設されているので、このＸ線マーカーをモニターすることによって、各腹部圧迫体の腹部への位置決め調整が正確にできる。また、再検査などの際に、Ｘ線写真フィルム上のＸ線マーカーにより検査時に如何なる腹部圧迫体が選択され、位置された箇所などの調査・検証が可能になる。さらに、Ｘ線マーカーは進行胃癌の大きさを測る物差しにもなる。
（２−４）各腹部圧迫体はカバー体で覆って使用するので、被検者毎に交換が可能になり、感染予防になり衛生的に扱える。
（２−５）以上から、このＸ線撮影補助具は、放射線検査技師の経験年数乃至スキル差に殆ど左右されることなく、病院等施設及び放射線技師間の検査格差を解消できる。
【００６２】
以下、図７〜図８を参照して、このＸ線撮影補助具を構成する個々の腹部圧迫体を詳述する。
【００６３】
図７Ａ〜図７Ｄを参照して、２個の腹部圧迫体１８、１９を説明する。なお、図７は図６Ａ、６Ｂの腹臥位腹部圧迫体を示し、図７Ａは図６Ａの腹臥位腹部圧迫体の正面図、図７Ｂは図７Ａの底面図、図７Ｃは図６Ｂの腹臥位腹部圧迫体の上面図、図７Ｄは図７Ｃの側面図である。
腹部圧迫体（以下、ｔｙｐｅ１ともいう）１８は、上下面に所定大きさの正方形及び周囲側面が長方形の直方状ブロック体からなり、スポンジ材で形成されている。
このブロック体の一面にＸ線マーカー１４が付設されている。寸法は、長さＬ２１は１００ｍｍ、横幅Ｗ２１は１００ｍｍ、縦幅Ｗ２２は５０ｍｍである。
この腹部圧迫体１８は、後述する腹部圧迫体２１（ｔｙｐｅ４）と組み合わせて「瀑状胃」の撮影に使用する。
【００６４】
また、腹部圧迫体（以下、ｔｙｐｅ２ともいう）１９は、上下面が所定大きさの円形及び周囲側面が湾曲した円盤状ブロック体からなり、スポンジ材で形成されている。周囲側面にマーカー装着穴が形成されている。
腹部圧迫体１９の寸法は、上下面正方形の一辺は、例えば１００ｍｍ、各側面（厚さ）は５０ｍｍである。この腹部圧迫体１９は、単独で「下垂胃」の撮影に使用する。
【００６５】
図８Ａ〜図８Ｃを参照して、他の２個の腹部圧迫体２０、２１を説明する。なお、図８は図６Ｃ、図６Ｄの腹臥位腹部圧迫体を示し、図８Ａは図６Ｃの腹臥位腹部圧迫体の正面図、図８Ｂは図８Ａの底面図、図８Ｃは側面図、図８Ｄは図６Ｄの腹臥位腹部圧迫体の上面図、図８Ｅは図８Ｄの底面図、図８Ｆは側面図である。
腹部圧迫体（以下、ｔｙｐｅ３ともいう）２０は、左右面の上下面が所定大きさの円形及び周囲側面が湾曲し円盤状ブロック体からなり、スポンジ材で形成されている。周囲側面にマーカー装着穴が形成されている。
【００６６】
また、腹部圧迫体（以下、ｔｙｐｅ４ともいう）２１は、左右側面が所定大きさの正方形並びに上下及び周囲側面が長方形の直方状体からなるクッション材で形成され、一面にＸ線マーカー１４が付設された構成を有する。
【００６７】
以上説明したように、Ｘ線撮影補助具１０は、タイプが異なる４個の腹部圧迫体１８〜２１、形状乃至サイズが異なる直方状体乃至円盤状体からなり、これらは少なくとも一つの平坦面乃至湾曲面を有し、いずれかの面にＸ線マーカーＸＭが付設された構成を有する。このＸ線撮影補助具によれば、Ｘ線胃撮影時に、被検者へ押し当てた腹臥腹部圧迫体の位置をモニターできるので、正確な胃部位のＸ線撮影が可能になる。腹臥腹部圧迫体は単純形状且つ数少ない個数で構成することによって、扱いを容易にし、且つ安価なＸ線撮影補助具を提供できる。少ない個数の単純な形状な腹臥位腹部圧迫体を単独乃至複数組み合わせて使用することよって病院等施設及び放射線技師間の検査格差を解消できる。なお、腹部圧迫体の個数は４個に限定するものでなく、以上であってもよく、また、ブロック体は他の形状、例えば、球状／半球状ブロック体などであってもよい。
【００６８】
次に、図９．図１０を参照して、上記腹部圧迫体を用いた胃部位のＸ線撮影法を説明する。なお、図９は実施形態２のＸ線撮影補助具を用いた各胃形のＸ線撮影を示し、図９Ａは鉤状胃／下垂胃撮影の概略図、図９Ｂはやや横胃撮影の概略図である。図１０はＸ線撮影補助具を用いた他の胃形のＸ線撮影を示し、図１０Ａは横胃撮影の概略図、図１０Ｂは瀑状胃撮影の概略図である。
４個の腹部圧迫体１８〜２１を用い、被検者の胃形に合わせ、これらを単独乃至複数組み合わせて撮影する。
【００６９】
（ａ）鉤状胃／下垂胃の撮影
被検者の胃形が鉤状胃／下垂胃の場合、腹部圧迫体１３（ｔｙｐｅ２）を単独で使用し、Ｘ線マーカーでモニターしながら位置を調整し正確に位置決めしてＸ線撮影を行う。
すなわち、鉤状胃は、釣り針や鉤のように曲がっている胃であり、胃体部、前庭部、幽門部の撮影が困難な胃部位であるが、図９Ａに示したように、腹部圧迫体１９を被検者の鳩尾に押し当てることにより、鉤状胃のＵ、Ｍ、Ｌ部分が伸展拡大され、鉤状胃のＵ、Ｍ、Ｌ部分も前胃壁が伸展拡大され、描出範囲が広くなるので正確なＸ線撮影ができる。
【００７０】
また、下垂胃は、下垂していて胃角部胃角切痕が腸骨線を超えて骨盤にかかっている胃であり、この胃は胃体部、前庭部及び幽門部の撮影が困難な胃部位となっているが、同じ方法によって、下垂胃のＵ、Ｍ、Ｌ部分も前胃壁が伸展拡大され、描出範囲が広くなるので正確なＸ線撮影ができる。
【００７１】
（ｂ）やや横胃の撮影
やや横胃は、図９Ｂに示したように、腹部圧迫体ｔｙｐｅ３と４とを組合せて撮影する。
【００７２】
（ｃ）横胃の撮影
横胃に対しては、図９Ｃに示したように、腹部圧迫体ｔｙｐｅと４を組合せて撮影する。
【００７３】
（ｄ）瀑状胃の撮影
瀑状胃に対しては、図９Ｄに示したように、腹部圧迫体ｔｙｐｅ１と４を組合せて撮影する。
【００７４】
以上から、このＸ線撮影補助具は、放射線検査技師の経験年数乃至スキル差に殆ど左右されることなく、病院等施設及び放射線技師間の検査格差を解消できる。
【符号の説明】
【００７５】
１０、１７                Ｘ線撮影補助具
１１、１８〜２１          臥腹位腹部圧迫体
１２                      本体クッション部
１３                      バネ突起部
１４                      Ｘ線マーカー
１５                      補助バネ体
１６                      カバー体
【図１】
2019103775.tif 000003
【図２】
2019103775.tif 000004
【図３】
2019103775.tif 000005
【図４】
2019103775.tif 000006
【図５】
2019103775.tif 000007
【図６】
2019103775.tif 000008
【図７】
2019103775.tif 000009
【図８】
2019103775.tif 000010
【図９】
2019103775.tif 000011
【図１０】
2019103775.tif 000012
【図１１】
2019103775.tif 000013
【手続補正書】
【提出日】平成30年8月21日(2018.8.21)
【手続補正１】
【補正対象書類名】特許請求の範囲
【補正対象項目名】請求項４
【補正方法】変更
【補正の内容】
【請求項４】
前記Ｘ線マーカーは、所定長さの板状片乃至棒状体からなり、それらはＸ線半吸収材乃至Ｘ線全吸収材で形成されていることを特徴とする請求項１〜３のいずれかに記載のＸ線撮影補助具。
【手続補正２】
【補正対象書類名】特許請求の範囲
【補正対象項目名】請求項５
【補正方法】変更
【補正の内容】
【請求項５】
前記Ｘ線マーカーの長さは、１０ｍｍ〜２０ｍｍの範囲にあることを特徴とする請求項４に記載のＸ線撮影補助具。
【手続補正３】
【補正対象書類名】明細書
【補正対象項目名】００３３
【補正方法】変更
【補正の内容】
【００３３】
本発明の第６の態様のＸ線撮影補助具は、腹部圧迫体は検査時に交換自在なカバー体内に収納されて使用するので、感染予防になり衛生的に扱え、被検者に嫌悪感を与えるのを回避できる。
【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
被検者の腹部へ押し当て胃部位の撮影を補助するＸ線撮影補助具において、
直方状ブロック体、円盤状ブロック体、球状乃至半楕円球状ブロック体、柱状ブロック体からなる複数個の腹臥位腹部圧迫体を含み、前記腹臥位腹部圧迫体の１個乃至複数個を被験者の胃形に適応させて選択して使用するものであり、
前記腹臥位腹部圧迫体の少なくとも一つの平坦面乃至湾曲面の一部にＸ線マーカーが付設されていることを特徴とするＸ線撮影補助具。
【請求項２】
前記Ｘ線マーカーは、所定長さの板状片乃至棒状体からなり、それらはＸ線半吸収材乃至Ｘ線全吸収材で形成されていることを特徴とする請求項１に記載のＸ線撮影補助具。
【請求項３】
前記Ｘ線マーカーの長さは、１０ｍｍ〜２０ｍｍの範囲にあることを特徴とする請求項２に記載のＸ線撮影補助具。
【請求項４】
前記腹臥位腹部圧迫体は、それぞれが交換自在なカバー体で覆って、使用されることを特徴とする請求項１〜３のいずれかに記載のＸ線撮影補助具。
【手続補正２】
【補正対象書類名】明細書
【補正対象項目名】００２２
【補正方法】変更
【補正の内容】
【００２２】
上記目的を達成するために、本発明の第１の態様のＸ線撮影補助具は、被検者の腹部へ押し当て胃部位の撮影を補助するＸ線撮影補助具において、前記Ｘ線撮影補助具は、クッション部を有する直方状ブロック体、円盤状ブロック体、球状乃至半楕円球状ブロック体、柱状ブロック体からなる複数個の腹臥位腹部圧迫体を含み、前記腹臥位腹部圧迫体の１個乃至複数個を被験者の胃形に適応させて選択して使用するものであり、前記腹臥位腹部圧迫体の少なくとも一つの平坦面乃至湾曲面の一部にＸ線マーカーが付設されていることを特徴とする。
【手続補正３】
【補正対象書類名】明細書
【補正対象項目名】００２３
【補正方法】削除
【補正の内容】
【手続補正４】
【補正対象書類名】明細書
【補正対象項目名】００２４
【補正方法】削除
【補正の内容】
【手続補正５】
【補正対象書類名】明細書
【補正対象項目名】００２５
【補正方法】変更
【補正の内容】
【００２５】
本発明の第２の態様のＸ線撮影補助具は、第１の態様のＸ線撮影補助具において、前記Ｘ線マーカーは、所定長さの板状片乃至棒状体からなり、それらはＸ線半吸収材乃至Ｘ線全吸収材で形成されていることを特徴とする。
【手続補正６】
【補正対象書類名】明細書
【補正対象項目名】００２６
【補正方法】変更
【補正の内容】
【００２６】
本発明の第３の態様のＸ線撮影補助具は、第２の態様のＸ線撮影補助具において、前記Ｘ線マーカーの長さは、１０ｍｍ〜２０ｍｍの範囲にあることを特徴とする。
【手続補正７】
【補正対象書類名】明細書
【補正対象項目名】００２７
【補正方法】変更
【補正の内容】
【００２７】
本発明の第４の態様のＸ線撮影補助具は、第１〜３のいずれかの態様のＸ線撮影補助具において、前記腹臥位腹部圧迫体は、それぞれが交換自在なカバー体で覆って、使用されることを特徴とする。
【手続補正８】
【補正対象書類名】明細書
【補正対象項目名】００２８
【補正方法】変更
【補正の内容】
【００２８】
本発明の第１の態様のＸ線撮影補助具によれば、以下の顕著な作用効果を奏する。
（ア）Ｘ線撮影補助具は、複数個の腹部圧迫体を単独乃至複数個組み合わせることによって、被検者によってそれぞれ異なる胃形に適応させて、モニターしながら撮影できる。また、個数が少ないので扱い及び操作が簡単になり、また、保管・管理も容易になる。
（イ）各腹部圧迫体には、Ｘ線マーカーが付設されているので、このＸ線マーカーをモニターすることによって、各腹部圧迫体の腹部への位置決め調整が正確にできる。また、再検査などの際に、Ｘ線写真フィルム上のＸ線マーカーにより検査時に如何なる腹部圧迫体が選択され、位置された箇所などの調査・検証が可能になる。さらに、Ｘ線マーカーは胃がんの大きさを測る物差しにもなる。
【手続補正９】
【補正対象書類名】明細書
【補正対象項目名】００２９
【補正方法】変更
【補正の内容】
【００２９】
（ウ）Ｘ線撮影補助具は、腹部圧迫体を単独乃至組み合わせることによって、被検者によって異なる胃形、例えば鉤状胃、牛角胃、横胃（下垂胃）、瀑状胃など略すべての胃形に適応させて各胃のＸ線撮影が可能になる。
（エ）腹部圧迫体は、合成樹脂からなスポンジ材で形成されているので、スポンジ材は柔軟性、クッション性及び衝撃吸収性が優れた性質を備えていることから、腹部圧迫体及び補助バネ体に適度なクッション性及びバネ性が付与されるので、検査時に被検者に苦痛を与えるようなことはない。すなわち、腹部圧迫体は、柔軟な弾性材（スポンジ材）形成されているので、被検者の腹部へ押し当てたときに、ソフトタッチとなり苦痛を与えることがない。
（オ）Ｘ線撮影補助具は、部材の数が少ないので、従来技術の補助具と対比して、格段に扱い乃至管理が簡単、容易になり、一方でまた、一度に大勢の被検者を検査する集団検診の際にも検査効率を上げて使用できる。
（カ）腹部圧迫体は単純な形状をしたものであり、材料として例えばスポンジ材を用いることができる。スポンジ材は、入手が簡単にでき、しかも、任意の形状に裁断、加工できるので簡単、安価に製作できる。
【手続補正１０】
【補正対象書類名】明細書
【補正対象項目名】００３０
【補正方法】変更
【補正の内容】
【００３０】
（キ）Ｘ線撮影補助具を構成する腹部圧迫体は、少ない個数で単純な直方状ブロック体乃至円盤状ブロック体で形成されるので、製作が簡単で安価になる。
【手続補正１１】
【補正対象書類名】明細書
【補正対象項目名】００３１
【補正方法】変更
【補正の内容】
【００３１】
本発明の第２の態様のＸ線撮影補助具は、腹部圧迫体にＸ線マーカーが付設されているので、検査時にモニターしながら腹部への正確な位置決めができる。さらに、Ｘ線マーカーは撮影フィルムに写っているので、後日、検査時における使用状態の把握が可能になり、再検査乃至検証にも利用できる。
【手続補正１２】
【補正対象書類名】明細書
【補正対象項目名】００３２
【補正方法】変更
【補正の内容】
【００３２】
本発明の第３の態様のＸ線撮影補助具は、Ｘ線マーカーを所定長さにすることによって、胃癌の進行度合いが検知できる。
【手続補正１３】
【補正対象書類名】明細書
【補正対象項目名】００３３
【補正方法】変更
【補正の内容】
【００３３】
本発明の第４の態様のＸ線撮影補助具は、腹部圧迫体は検査時に交換自在なカバー体内に収納されて使用するので、感染予防になり衛生的に扱え、被検者に嫌悪感を与えるのを回避できる。
【手続補正１４】
【補正対象書類名】明細書
【補正対象項目名】００５９
【補正方法】変更
【補正の内容】
【００５９】
図６を参照して、本発明の実施形態２に係るＸ線撮影補助具の概要を説明する。なお、図６は本発明の実施形態２に係るＸ線撮影補助具を構成する４個の腹臥位腹部圧迫体の概略斜視図である。
本発明の実施形態２に係るＸ線撮影補助具１７は、形状乃至サイズなどが異なる、いわゆるタイプ（ｔｙｐｅ）が異なる複数個、例えば４個の腹部圧迫体１８〜２１で構成されおり、この点で１個の腹部圧迫体１０からなる実施形態１のＸ線撮影補助具１０と構成が異なっている。
以下の説明は、両者に共通する構成部分には同一符号を付して重複説明を省略し、異なる構成を詳述する。
【手続補正１５】
【補正対象書類名】明細書
【補正対象項目名】００６３
【補正方法】変更
【補正の内容】
【００６３】
図７Ａ〜図７Ｄを参照して、２個の腹部圧迫体１８、１９を説明する。なお、図７は図６の腹臥位腹部圧迫体１８、１９を示し、図７Ａは腹臥位腹部圧迫体１８の正面図、図７Ｂは図７Ａの底面図、図７Ｃは腹臥位腹部圧迫体１９の上面図、図７Ｄは図７Ｃの側面図である。
腹部圧迫体（以下、ｔｙｐｅ１ともいう）１８は、上下面に所定大きさの正方形及び周囲側面が長方形の直方状ブロック体からなり、スポンジ材で形成されている。
このブロック体の一面にＸ線マーカー１４が付設されている。寸法は、長さＬ２１は１００ｍｍ、横幅Ｗ２１は１００ｍｍ、縦幅Ｗ２２は５０ｍｍである。
この腹部圧迫体１８は、後述する腹部圧迫体２１（ｔｙｐｅ４）と組み合わせて「瀑状胃」の撮影に使用する。
【手続補正１６】
【補正対象書類名】明細書
【補正対象項目名】００６５
【補正方法】変更
【補正の内容】
【００６５】
図８Ａ〜図８Ｃを参照して、他の２個の腹部圧迫体２０、２１を説明する。なお、図８は図６の腹臥位腹部圧迫体２０、２１を示し、図８Ａは腹臥位腹部圧迫体２０の正面図、図８Ｂは図８Ａの底面図、図８Ｃは側面図、図８Ｄは腹臥位腹部圧迫体２１の上面図、図８Ｅは図８Ｄの底面図、図８Ｆは側面図である。
腹部圧迫体（以下、ｔｙｐｅ３ともいう）２０は、左右側面が所定大きさの正方形並びに上下及び周囲側面が長方形の直方状体からなるクッション材で形成され、一面にＸ線マーカー１４が付設された構成を有する。
【手続補正１７】
【補正対象書類名】明細書
【補正対象項目名】００６６
【補正方法】変更
【補正の内容】
【００６６】
また、腹部圧迫体（以下、ｔｙｐｅ４ともいう）２１は、左右側面が所定大きさの湾曲した長方形並びに上下及び周囲側面が長方形の直方状体からなるクッション材で形成され、一面にＸ線マーカー１４が付設された構成を有する。
【手続補正１８】
【補正対象書類名】明細書
【補正対象項目名】００６７
【補正方法】変更
【補正の内容】
【００６７】
以上説明したように、Ｘ線撮影補助具１０は、タイプが異なる４個の腹部圧迫体１８〜２１等のように、形状乃至サイズが異なる直方状体乃至円盤状体からなり、これらは少なくとも一つの平坦面乃至湾曲面を有しており、いずれかの面にＸ線マーカー１４が付設された構成を有する。このＸ線撮影補助具１０によれば、Ｘ線胃撮影時に、被検者へ押し当てた腹臥腹部圧迫体１８〜２１の位置をモニターできるので、正確な胃部位のＸ線撮影が可能になる。腹臥腹部圧迫体１８〜２１は単純形状且つ数少ない個数で構成することによって、扱いを容易にし、且つ安価なＸ線撮影補助具を提供できる。少ない個数の単純な形状な腹臥位腹部圧迫体を単独乃至複数組み合わせて使用することよって病院等施設及び放射線技師間の検査格差を解消できる。なお、腹部圧迫体の個数１８〜２１は４個に限定するものでなく、５個以上であってもよく、また、ブロック体は他の形状、例えば、球状／半球状ブロック体などであってもよい。
【手続補正１９】
【補正対象書類名】明細書
【補正対象項目名】００６８
【補正方法】変更
【補正の内容】
【００６８】
次に、図９、図１０を参照して、上記腹部圧迫体を用いた胃部位のＸ線撮影法を説明する。なお、図９は実施形態２のＸ線撮影補助具を用いた各胃形のＸ線撮影を示し、図９Ａは鉤状胃／下垂胃撮影の概略図、図９Ｂはやや横胃撮影の概略図である。図１０は実施形態２のＸ線撮影補助具を用いた他の胃形のＸ線撮影を示し、図１０Ａは横胃撮影の概略図、図１０Ｂは瀑状胃撮影の概略図である。
４個の腹部圧迫体１８〜２１を用い、被検者の胃形に合わせ、これらを単独乃至複数組み合わせて撮影する。
【手続補正２０】
【補正対象書類名】明細書
【補正対象項目名】００６９
【補正方法】変更
【補正の内容】
【００６９】
（ａ）鉤状胃／下垂胃の撮影
被検者の胃形が鉤状胃／下垂胃の場合、腹部圧迫体１９（ｔｙｐｅ２）を単独で使用し、Ｘ線マーカーでモニターしながら位置を調整し正確に位置決めしてＸ線撮影を行う。
すなわち、鉤状胃は、釣り針や鉤のように曲がっている胃であり、胃体部、前庭部、幽門部の撮影が困難な胃部位であるが、図９Ａに示したように、腹部圧迫体１９を被検者の鳩尾に押し当てることにより、鉤状胃のＵ、Ｍ、Ｌ部分が伸展拡大され、鉤状胃のＵ、Ｍ、Ｌ部分も前胃壁が伸展拡大され、描出範囲が広くなるので正確なＸ線撮影ができる。
【手続補正２１】
【補正対象書類名】明細書
【補正対象項目名】００７１
【補正方法】変更
【補正の内容】
【００７１】
（ｂ）やや横胃の撮影
やや横胃は、図９Ｂに示したように、ｔｙｐｅ３の腹部圧迫体２０とｔｙｐｅ４の腹部圧迫体２１とを組合せて撮影する。
【手続補正２２】
【補正対象書類名】明細書
【補正対象項目名】００７２
【補正方法】変更
【補正の内容】
【００７２】
（ｃ）横胃の撮影
横胃に対しては、図１０Ａに示したように、ｔｙｐｅ３の腹部圧迫体２０とｔｙｐｅ４の腹部圧迫体２１を組合せて撮影する。
【手続補正２３】
【補正対象書類名】明細書
【補正対象項目名】００７３
【補正方法】変更
【補正の内容】
【００７３】
（ｄ）瀑状胃の撮影
瀑状胃に対しては、図１０Ｂに示したように、ｔｙｐｅ１の腹部圧迫体１８と、ｔｙｐｅ４の腹部圧迫体２１と、ｔｙｐｅ３の腹部圧迫体２０を図３Ｄに示した実施形態１の腹部圧迫体１５の場合と同様に折り曲げたものとを組合せて撮影する。
【手続補正２４】
【補正対象書類名】図面
【補正対象項目名】図８
【補正方法】変更
【補正の内容】
【図８】
2019103775.tif 000014
【手続補正２５】
【補正対象書類名】図面
【補正対象項目名】図９
【補正方法】変更
【補正の内容】
【図９】
2019103775.tif 000015
【手続補正２６】
【補正対象書類名】図面
【補正対象項目名】図１０
【補正方法】変更
【補正の内容】
【図１０】
2019103775.tif 000016
【手続補正書】
【提出日】平成31年4月8日(2019.4.8)
【手続補正１】
【補正対象書類名】特許請求の範囲
【補正対象項目名】全文
【補正方法】変更
【補正の内容】
【特許請求の範囲】
【請求項１】
被検者の腹部へ押し当て胃部位の撮影を補助するＸ線撮影補助具において、
直方体ブロック体、円盤状ブロック体、球状乃至半楕円球状ブロック体、柱状ブロック体からなる複数個の腹臥位腹部圧迫体を含み、前記腹臥位腹部圧迫体の１個乃至複数個が被検者の胃形に適応されるように選択されて使用されるものであり、
前記腹臥位腹部圧迫体の少なくとも一つの平坦部乃至湾曲面の一部にＸ線マーカーが付設されていることを特徴とするＸ線撮影補助具。
【請求項２】
前記Ｘ線マーカーは、所定長さの板状片乃至棒状体からなり、それらはＸ線半吸収材乃至Ｘ線全吸収材で形成されていることを特徴とする請求項１に記載のＸ線撮影補助具。
【請求項３】
前記Ｘ線マーカーの長さは、１０ｍｍ〜２０ｍｍの範囲にあることを特徴とする請求項２に記載のＸ線撮影補助具。
【請求項４】
前記腹臥位腹部圧迫体は、それぞれが交換自在なカバー体で覆って、使用されることを特徴とする請求項１〜３のいずれかに記載のＸ線撮影補助具。
【手続補正２】
【補正対象書類名】明細書
【補正対象項目名】００２２
【補正方法】変更
【補正の内容】
【００２２】
上記目的を達成するために、本発明の第1の態様のＸ線撮影補助具は、被検者の腹部へ押し当て胃部位の撮影を補助するＸ線撮影補助具において、直方体ブロック体、円盤状ブロック体、球状乃至半楕円球状ブロック体、柱状ブロック体からなる複数個の腹臥位腹部圧迫体を含み、前記腹臥位腹部圧迫体の１個乃至複数個が被検者の胃形に適応されるように選択されて使用されるものであり、前記腹臥位腹部圧迫体の少なくとも一つの平坦部乃至湾曲面の一部にＸ線マーカーが付設されていることを特徴とする。